(57)【特許請求の範囲】
【請求項１】
成形機が備える表示操作装置であって、
正面視が縦長のケースと、
前記ケースの正面部に縦長となるように配置された表示部と、
前記ケースの正面部に配置された複数の操作スイッチと、を有し、
前記複数の操作スイッチが、ハードウエア操作スイッチであり、
前記複数の操作スイッチのうちの一部の操作スイッチが、前記ケースの正面部の下縁部に横方向に一列に並べて配置され、残りの操作スイッチが、前記ケースの正面部の側縁部に縦方向に一列に並べて配置され、
前記表示操作装置が、前記ケースにおける前記残りの操作スイッチが配置された側縁部とは反対側の側縁部側を軸として当該ケースを回動可能に軸支する回動軸部を有し、
前記ケースの正面部の前記残りの操作スイッチが配置された側縁部には、前記残りの操作スイッチの下方に縦方向に帯状に延在する平面部分が設けられていることを特徴とする表示操作装置。
【請求項２】
請求項１に記載の表示操作装置において、
前記一部の操作スイッチおよび前記残りの操作スイッチうちの一方が、前記成形機が有する複数の機能グループのうちの選択されている１つの機能グループに含まれる機能が動的に割り当てられる複数の多機能操作スイッチである表示操作装置。
【請求項３】
請求項１または請求項２に記載の表示操作装置において、
前記一部の操作スイッチおよび前記残りの操作スイッチうちの他方が、前記成形機の動作モードに関連する機能が割り当てられた複数のモード操作スイッチである表示操作装置。
【請求項４】
請求項３に記載の表示操作装置において、
前記一部の操作スイッチの列を横方向に仮想的に延ばしかつ前記残りの操作スイッチの列を縦方向に仮想的に延ばしたときに各列が交差する前記ケースの正面部上の箇所に配置された共用操作スイッチをさらに有し、
前記共用操作スイッチが、ハードウエア操作スイッチであり、前記成形機が有する複数の機能のうちの一部の機能が割り当てられるとともに前記成形機の動作モードに係る機能も割り当てられる表示操作装置。
【請求項５】
請求項４に記載の表示操作装置において、
前記ケースの正面部の前記残りの操作スイッチが配置された側縁部には、前記残りの操作スイッチと前記共用操作スイッチとの間に前記平面部分が設けられている表示操作装置。
【請求項６】
請求項１〜請求項５のいずれか一項に記載の表示操作装置と、
前記表示操作装置に入力された操作に応じて動作する成形装置と、を備えたことを特徴とする成形機。
【発明の詳細な説明】
【技術分野】
【０００１】
本発明は、例えば、射出成形機やダイカストマシン等の成形機などが備える表示操作装置、および、この表示操作装置を備える成形機に関する。
【背景技術】
【０００２】
特許文献１に射出成形機が備える表示操作装置としての成形条件設定装置が開示されている。この成形条件設定装置は、表示装置と複数のハードウエア操作スイッチである電気式の操作キーとを有している。表示装置は、表示部およびこの表示部に重ねて配置されたタッチパネルが設けられ、表示部に操作／支援画面を表示するとともにタッチパネルへの操作が入力される。複数の操作キーは、カーソルキーやエンターキーなどの各種キーを含み、表示部の下縁に横方向に一列に並べて配置されている。この成形条件設定装置では、タッチパネルや操作キーに操作が入力されることにより、射出成形機における成形条件の設定が行われる。
【先行技術文献】
【特許文献】
【０００３】
【特許文献１】特開２０１５−９８１３６号公報
【発明の概要】
【発明が解決しようとする課題】
【０００４】
この成形条件設定装置のような射出成形機が備える表示操作装置では、例えば、入力した条件値を確定させたり、全ての条件値をリセットしたりするなどの比較的重要性の高い機能に係る操作は、タッチパネルへの単なる接触のような手応えのない操作ではなく、クリック感をともなう操作キーの押下操作のような手応えのある操作で行うことが求められる傾向にある。そのため、重要性の高い機能に係る操作が多い構成では多数の操作キーを設けることが要求され、例えば、操作キーを横方向および縦方向に並べて配置する構成が採用されることがある。
【０００５】
しかしながら、操作キーを縦横に並べて配置すると、横方向だけではなく縦方向にも操作キーが近接して配置されるので、操作しようとした操作キーとは異なる操作キーを誤って押下してしまうという誤操作が増加するおそれがあった。
【０００６】
そこで、本発明は、誤操作の増加を抑制しつつより多くの操作スイッチを設けることができる表示操作装置およびそれを備える成形機を提供することを目的とするものである。
【課題を解決するための手段】
【０００７】
上記目的を達成するために、本発明の一態様の表示操作装置は、成形機が備える表示操作装置であって、正面視が縦長のケースと、前記ケースの正面部に縦長となるように配置された表示部と、前記ケースの正面部に配置された複数の操作スイッチと、を有し、前記複数の操作スイッチが、ハードウエア操作スイッチであり、前記複数の操作スイッチのうちの一部の操作スイッチが、前記ケースの正面部の下縁部に横方向に一列に並べて配置され、残りの操作スイッチが、前記ケースの正面部の側縁部に縦方向に一列に並べて配置され、前記表示操作装置が、前記ケースにおける前記残りの操作スイッチが配置された側縁部とは反対側の側縁部側を軸として当該ケースを回動可能に軸支する回動軸部を有し、前記ケースの正面部の前記残りの操作スイッチが配置された側縁部には、前記残りの操作スイッチの下方に縦方向に帯状に延在する平面部分が設けられていることを特徴とする。
【０００８】
本発明によれば、複数の操作スイッチが、ケースの正面部の下縁部および側縁部に沿って一列に並べて配置されているので、操作スイッチが縦横に並ぶことを回避できる。さらには、複数の操作スイッチが、ケースの縁部に配置されているので、ケースの側面部や下面部に手を添えながら親指で操作スイッチを操作することができ、操作に用いる指のぶれを抑制して誤操作をより効果的に抑制できる。また、ケースの正面部および表示部が共に縦長であることから、ケース正面部の側縁部に操作スイッチを配置しても表示操作装置が横方向に過度に大きくならないので、大型化を抑制できる。
【０００９】
本発明においては、前記一部の操作スイッチおよび前記残りの操作スイッチうちの一方が、前記成形機が有する複数の機能グループのうちの選択されている１つの機能グループに含まれる機能が動的に割り当てられる複数の多機能操作スイッチであってもよい。このようにすることで、１つの操作スイッチに複数の機能を割り当てることができるので、複数の操作スイッチの数を抑制して装置を小型にできる。
【００１０】
本発明においては、前記一部の操作スイッチおよび前記残りの操作スイッチうちの他方が、前記成形機の動作モードに関連する機能が割り当てられた複数のモード操作スイッチであってもよい。このようにすることで、成形機の動作モードの切り替えやそれに関連する比較的重要性の高い機能を操作スイッチに割り当てることができる。
【００１１】
本発明においては、前記一部の操作スイッチの列を横方向に仮想的に延ばしかつ前記残りの操作スイッチの列を縦方向に仮想的に延ばしたときに各列が交差する前記ケースの正面部上の箇所に配置された共用操作スイッチをさらに有し、前記共用操作スイッチが、ハードウエア操作スイッチであり、前記成形機が有する複数の機能のうちの一部の機能が割り当てられるとともに前記成形機の動作モードに係る機能も割り当てられるようにしてもよい。このようにすることで、共用操作スイッチが、多機能操作スイッチおよびモード操作スイッチと同様に使用できるので、操作スイッチの数をより効果的に抑制できる。さらには、共用操作スイッチが、多機能操作スイッチの列およびモード操作スイッチの列の交差する箇所に配置されているので、ケースの正面部の右下の箇所または左下の箇所に配置されて操作が比較的しやすく、また、このように配置することにより、共用操作スイッチが多機能操作スイッチおよびモード操作スイッチと同様に使用できることを直感的に把握できる。
【００１２】
本発明においては、前記ケースの正面部の前記残りの操作スイッチが配置された側縁部には、前記残りの操作スイッチと前記共用操作スイッチとの間に前記平面部分が設けられているようにしてもよい。このようにすることで、回動軸部により表示操作装置を回動可能に設置できるとともに、ケースの平面部分に手を置いて表示操作装置を回動させることができる。そのため、回動時に操作スイッチを誤って操作してしまうことを抑制できる。
【００１３】
上記目的を達成するために、本発明の他の一態様の成形機は、上記表示操作装置と、前記表示操作装置に入力された操作に応じて動作する成形装置と、を備えたことを特徴とする。
【００１４】
本発明によれば、上記表示操作装置を備えていることから、操作スイッチが縦横に並ぶことを回避できる。さらには、複数の操作スイッチが、ケースの縁部に配置されているので、ケースの側面や下面に手を添えながら親指で操作スイッチを操作することができ、操作に用いる指のぶれを抑制して確実な操作を可能とする。また、ケースの正面部および表示部が共に縦長であることから、ケース正面部の側縁部に操作スイッチを配置しても表示操作装置が横方向に過度に大きくならないので、大型化を抑制できる。
【発明の効果】
【００１５】
本発明によれば、操作スイッチの誤操作の増加を抑制できる。これにより、操作性を向上することができる。
【図面の簡単な説明】
【００１６】
【図１】本発明の一実施形態に係る射出成形機の正面図である。
【図２】図１の射出成形機が備える表示操作装置の正面図である。
【図３】図１の射出成形機の概略構成を示す機能ブロック図である。
【図４】図２の表示操作装置において複数の多機能操作スイッチに選択中の機能グループに含まれる機能が割り当てられた状態の一例を示す図である。
【図５】図２の表示操作装置の共用操作スイッチの使用例を示す図である。
【発明を実施するための形態】
【００１７】
以下、本発明の一実施形態に係る射出成形機について、図１〜図５を参照して説明する。
【００１８】
図１は、本発明の一実施形態に係る射出成形機の正面図である。図２は、図１の射出成形機が備える表示操作装置の正面図である。図３は、図１の射出成形機の概略構成を示す機能ブロック図である。図４（ａ）は、図２の表示操作装置において複数の多機能操作スイッチに第１の機能グループＧ１に含まれる機能が割り当てられた状態の一例を示す図であり、図４（ｂ）は、第２の機能グループＧ２に含まれる機能が割り当てられた状態の一例を示す図である。図５は、図２の表示操作装置の共用操作スイッチの使用例を示す図である。
【００１９】
図１に示すように、射出成形機１は、成形装置１０と、表示操作装置２０と、を備えている。
【００２０】
成形装置１０は、例えば、（１）加熱シリンダ、（２）加熱シリンダ内に回転可能かつ前後進可能に収納されたスクリュー、（３）加熱シリンダの末端側に備えられ、スクリューの溝内に原料樹脂を供給するホッパ、（４）加熱シリンダの先端側に備えられ、金型が設置される型締装置、（５）加熱シリンダを加熱するバンドヒータ、（６）スクリューを回転させる駆動部、（７）スクリューを前後進移動させる駆動部、（８）型締装置において金型の開閉、成形品の突出し（エジェクト）を行うための駆動部、（９）上記（１）〜（８）に含まれる駆動部を駆動するドライバ群、（１０）射出成形に係る各種情報を検出するセンサ群、および（１１）コントローラ、などを有している。
【００２１】
成形装置１０のコントローラは、成形装置１０の全体の動作を司る機能部であり、コンピュータを有して構成されている。成形装置１０のコントローラは、例えば、可塑化動作、射出動作、型開閉動作、エジェクト動作等の成形行程全体の制御や、センサ群の実測値の演算・格納処理、良品／不良品の判定処理、異常判定処理等の演算・判定処理などの射出成形に係る一連の射出成形動作を実行する。さらに、成形装置１０のコントローラは、後述する表示操作装置２０と通信可能に接続されており、表示操作装置２０に各種表示情報を送信するとともに、表示操作装置２０から各種機能実行指令情報を受信する。
【００２２】
表示操作装置２０は、図２、図３に示すように、表示部２１と、タッチパネル２２と、一部の操作スイッチとしての多機能操作スイッチ４１〜５０と、残りの操作スイッチとしてのモード操作スイッチ５１〜５５と、共用操作スイッチ５６と、ＬＥＤ５７と、制御部６０と、ケース７０と、回動軸部８０と、を有している。
【００２３】
表示部２１は、例えば、液晶ディスプレイや有機ＥＬディスプレイなどのフラットパネルディスプレイで構成されている。表示部２１は、後述する制御部６０から出力された表示制御情報に基づき、数値や画像、グラフ等の各種情報、および、キーボード、テンキー、操作ボタン等の各種操作スイッチ画像などを表示する。表示部２１は、縦長に配置されたケース７０の正面部７１の中央に縦長となるように配置されている。
【００２４】
表示部２１は、図２に示すように、表示領域が、上から順にモニター値表示領域２１ａ、メイン画面領域２１ｂ、サブ画面領域２１ｃ、操作スイッチ領域２１ｄおよび機能ラベル表示領域２１ｅの５つの領域に分割される。
【００２５】
モニター値表示領域２１ａには、例えば、成形装置１０のセンサ群によって検出された射出成形動作に係る各種検出値などが表示される。メイン画面領域２１ｂには、各種動作画面が表示される。サブ画面領域２１ｃには、メイン画面領域２１ｂに表示された動作画面に示される内容を補助するため画面（例えば、アニメーション等の図形など）が表示される。操作スイッチ領域２１ｄには、メイン画面領域２１ｂまたはサブ画面領域２１ｃに表示されている内容に応じたスライドスイッチや操作ボタンなどの操作スイッチ画像が表示される。機能ラベル表示領域２１ｅには、多機能操作スイッチ４１〜５０に割り当てられている機能を示す機能ラベルが各多機能操作スイッチ４１〜５０に対応するように表示される。これらは一例であって、各表示領域の表示内容は別のものであってもよく、表示領域の分割構成を変更してもよい。
【００２６】
タッチパネル２２は、表示部２１の表示面に重ねて配置されている。タッチパネル２２には、オペレータなどの利用者によって接触操作が入力される。ここで、接触操作には、例えば、タップ（指やタッチ操作ペンなどの操作体Ｆで比較的短い期間接触する）、ロングタップ（操作体Ｆで比較的長い期間接触する）、フリック（操作体Ｆを接触して所定方向に短く払う（短くスライドする））及びスワイプ（タッチパネルの表面に接触させた操作体Ｆを接触させたまま一方向に滑らせつつタッチパネルの表面から離す）などがある。後述する制御部６０は、表示部２１に表示された操作スイッチ画像をタッチパネル２２と組み合わせることによりソフトウエア的に実現したソフトウエア操作スイッチとして機能させる。
【００２７】
多機能操作スイッチ４１〜５０は、ハードウエア操作スイッチであり、本実施形態では、正面視四角形の押しボタンスイッチを採用している。ハードウエア操作スイッチとは、機械的要素を含む操作スイッチであって、例えば、押しボタンスイッチやトグルスイッチ、スライドスイッチなどを含む。多機能操作スイッチ４１〜５０は、ケース７０の正面部７１の下縁部７２に横方向（水平方向）に一列に並べて配置されている。本実施形態において、多機能操作スイッチ４１〜５０に割り当てられるべき機能は２０種類あり、これら２０種類の機能が第１の機能グループＧ１および第２の機能グループＧ２に振り分けられている。これら２０種類の機能は、主に成形装置１０の駆動部等の動作をともなう比較的重要性の高い機能である。そして、多機能操作スイッチ４１〜５０には、第１の機能グループＧ１および第２の機能グループＧ２のうちの選択されている機能グループに含まれる機能が動的に割り当てられる。
【００２８】
第１の機能グループＧ１に含まれる機能は、「型開」、「型閉」、「ＥＪ後退」（エジェクタ後退）、「ＥＪ前進」（エジェクタ前進）、「射出」、「可塑化」、「ＮＺ前進」（ノズル前進）、「ＮＺ後退」（ノズル後退）、「型厚後退」、「型厚前進」である。第１の機能グループＧ１が選択されているとき、これら機能が多機能操作スイッチ４１〜５０のそれぞれに割り当てられる。第１の機能グループＧ１には、赤色が対応づけられている。
【００２９】
第２の機能グループＧ２に含まれる機能は、「中子１戻」、「中子１入」、「中子２戻」、「中子２入」、「中子３戻」、「中子３入」、「エア１」、「エア２」、「エア３」、「エア４」である。第２の機能グループＧ２が選択されているとき、これら機能が多機能操作スイッチ４１〜５０のそれぞれに割り当てられる。第２の機能グループＧ２には、黄色が対応づけられている。
【００３０】
これら機能の振り分けは一例であって、各機能グループに含まれる機能は任意である。また、３つ以上の機能グループを設けた構成としてもよい。多機能操作スイッチの数についても、装置構成に応じて適宜設定される。また、各機能グループに含まれる機能の数は、多機能操作スイッチの数より少なくてもよく、この場合、機能が割り当てられない多機能操作スイッチが存在することになる。
【００３１】
モード操作スイッチ５１〜５５は、ハードウエア操作スイッチであり、本実施形態では、正面視円形の押しボタンスイッチを採用している。モード操作スイッチ５１〜５５は、ケース７０の正面部７１の一方の側縁部７３に縦方向（鉛直方向）に一列に並べて配置されている。モード操作スイッチ５１〜５５は、発光素子を内蔵しており、後述する制御部６０から出力された点灯制御情報に基づき、発光素子を点灯または消灯させる。本実施形態において、モード操作スイッチ５１〜５５の発光素子は緑色に点灯する。モード操作スイッチ５１〜５５には、順に「ＯＦＦモード」、「交換モード」、「手動モード」、「半自動モード」および「全自動モード」へ切り替える機能が割り当てられている。
【００３２】
「ＯＦＦモード」とは、成形装置１０の動作を停止するモードであり、例えば、他の動作モードにあるときにＯＦＦモードに切り替えられると成形装置１０の動作が停止される。また、ＯＦＦモードにおいて成形条件などの設定を行う。「交換モード」とは金型の交換や加熱シリンダからのスクリュー抜きなどの段取り作業時に、型開から成形体のエジェクトまでの１つの動作サイクルにおける各動作の調整を行うモードである。交換モードは、各動作を低圧・低速で行う。「手動モード」とは、多機能操作スイッチ４１〜５０を用いて成形装置１０の型開や型閉などの動作を手動で行うモードである。「半自動モード」とは、成形装置１０において、１つの動作サイクルを実行する毎に停止するモードである。「全自動モード」とは、あらかじめ設定した実行数の動作サイクルを連続して実行することにより、成形体を連続して製造する全自動運転のモードである。
【００３３】
共用操作スイッチ５６は、ハードウエア操作スイッチであり、本実施形態では、正面視円形の押しボタンスイッチを採用している。共用操作スイッチ５６は、ケース７０の正面部７１の右下の箇所に配置されている。具体的には、共用操作スイッチ５６は、多機能操作スイッチ４１〜５０の列を横方向に仮想的に延ばしかつモード操作スイッチ５１〜５５の列を縦方向に仮想的に延ばしたときに各列が交差するケース７０の正面部７１上の箇所Ｐに配置されている。共用操作スイッチ５６は、発光素子を内蔵しており、後述する制御部６０から出力された点灯制御情報に基づき、発光素子を点灯または消灯させる。本実施形態において、共用操作スイッチ５６の発光素子は緑色に点灯する。共用操作スイッチ５６には、動作モードに関連する機能および主に成形装置１０の駆動部等の動作をともなう機能などの比較的重要性の高い機能が動的に割り当てられる。
【００３４】
なお、多機能操作スイッチ４１〜５０、モード操作スイッチ５１〜５５および共用操作スイッチ５６に割り当てられる機能に対して比較的重要性の低い機能については、表示部２１に表示したテンキーや操作ボタンなどの操作スイッチ画像をタッチパネル２２と組み合わせたソフトウエア操作スイッチによって操作を行う。一例として、成形条件値の入力機能は比較的重要性が低いので、表示部２１に表示したテンキーおよびタッチパネル２２の組み合わせによるソフトウエア操作スイッチによって数値入力を行う。
【００３５】
ＬＥＤ５７は、左端の多機能操作スイッチ４１の左側に隣接して配置されている。ＬＥＤ５７は、赤色および黄色に発光可能な発光部５７ａを有している。ＬＥＤ５７は、後述する制御部６０から出力された発光制御情報に基づき、発光部５７ａを赤色または黄色に発光させる。
【００３６】
制御部６０は、表示操作装置２０の全体の動作を司る機能部であり、ＣＰＵ、ＲＯＭ、ＲＡＭおよび各種インターフェースを備えたコンピュータを有して構成されている。制御部６０は、表示部２１への出力画像の表示制御処理、タッチパネル２２、多機能操作スイッチ４１〜５０、モード操作スイッチ５１〜５５および共用操作スイッチ５６に入力された操作の処理等の各種処理を実行する。制御部６０は、成形装置１０のコントローラからの各種表示情報を受信して、これら表示情報に基づく表示制御情報を表示部２１に出力し、タッチパネル２２、多機能操作スイッチ４１〜５０、モード操作スイッチ５１〜５５および共用操作スイッチ５６に入力された操作に応じた機能を実行するための機能実行指令情報を成形装置１０のコントローラに送信する。
【００３７】
制御部６０は、ＣＰＵがＲＯＭに格納された制御プログラムを実行することにより、各種機能部として機能する。
【００３８】
すなわち、制御部６０は、選択されている機能グループに含まれる機能を示す機能ラベルを、多機能操作スイッチ４１〜５０のそれぞれに対応するように表示部２１の下部の機能ラベル表示領域２１ｅに表示する。また、制御部６０は、選択されている機能グループに対応付けられている色でＬＥＤ５７の発光部５７ａを発光させる。
【００３９】
具体的には、制御部６０は、第１の機能グループＧ１が選択されているとき、図４（ａ）に示すように、第１の機能グループＧ１に含まれている機能を示す機能ラベル３１ａ〜４０ａを表示部２１の機能ラベル表示領域２１ｅに表示するとともに、ＬＥＤ５７の発光部５７ａを赤色に発光させる。各機能ラベル３１ａ〜４０ａは、それぞれ名称部分３１ａ１〜４０ａ１と図形部分３１ａ２〜４０ａ２とを有している。また、このとき、制御部６０は、第１の機能グループＧ１に含まれている機能を多機能操作スイッチ４１〜５０のそれぞれに割り当てる。
【００４０】
制御部６０は、第２の機能グループＧ２が選択されているとき、図４（ｂ）に示すように、第２の機能グループＧ２に含まれている機能を示す機能ラベル３１ｂ〜４０ｂを表示部２１の機能ラベル表示領域２１ｅに表示するとともに、ＬＥＤ５７の発光部５７ａを黄色に発光させる。各機能ラベル３１ｂ〜４０ｂは、それぞれ名称部分３１ｂ１〜４０ｂ１と図形部分３１ｂ２〜４０ｂ２とを有している。また、このとき、制御部６０は、第２の機能グループＧ２に含まれている機能を多機能操作スイッチ４１〜５０のそれぞれに割り当てる。
【００４１】
また、制御部６０は、機能ラベル３１ａ〜４０ａまたは機能ラベル３１ｂ〜４０ｂを表示している状態において、タッチパネル２２の下部（すなわち、機能ラベル表示領域２１ｅに対応する箇所）が右スワイプまたは左スワイプされると、第１の機能グループＧ１および第２の機能グループＧ２のうちの選択されている機能グループを交互に切り替える。
【００４２】
ケース７０は、正面視が縦長の長方形となる箱形に形成されており、内部には制御部６０が収容されている。ケース７０の正面部７１の一方の側縁部７３（図２の右側）には、モード操作スイッチ５１〜５５と共用操作スイッチ５６とが互いに間隔をあけて配置されている。換言すると、これらモード操作スイッチ５１〜５５と共用操作スイッチ５６との間には、ＬＥＤやスイッチ類などが配置されていない、縦方向に帯状に延在するケース７０の一部である平面部分７３ａが設けられている。ケース７０は、金属材料または樹脂材料またはこれらの両方で構成されている。
【００４３】
ケース７０における一方の側縁部７３と反対の他方の側縁部７４側（図２の左側）には回動軸部８０が設けられている。回動軸部８０は、成形装置１０に取り付けられてケース７０における他方の側縁部７４側を回動軸としてケース７０を回動可能に軸支している。ケース７０は、平面部分７３ａに手を置いて手動で回動軸部８０を中心に回動させることができる。
【００４４】
次に、多機能操作スイッチ４１〜５０、モード操作スイッチ５１〜５５および共用操作スイッチ５６を使用したときの動作例について説明する。
【００４５】
（１）手動で金型を開く場合
オペレータにより「手動モード」への切り替え機能が割り当てられたモード操作スイッチ５３が押下される。これにより、制御部６０はモード操作スイッチ５３の発光素子を点灯させるとともに「手動モード」に切り替える。そして、オペレータにより、第１の機能グループＧ１が選択された状態で「型開」機能が割り当てられた多機能操作スイッチ４１が押下されると、制御部６０は、多機能操作スイッチ４１が押下されている間、成形装置１０に型開動作を実行させる。
【００４６】
（２）スクリュー抜きを行う場合
オペレータにより「交換モード」への切り替え機能が割り当てられたモード操作スイッチ５２が押下される。これにより、制御部６０はモード操作スイッチ５２の発光素子を点灯させるとともに「交換モード」に切り替える。このとき、制御部６０は、図５（ａ）に示すように、表示部２１の操作スイッチ領域２１ｄにスクリュー抜き操作ボタン２１ｄ１を表示する。そして、図５（ｂ）に示すように、オペレータにより、スクリュー抜き操作ボタン２１ｄ１およびタッチパネル２２の組み合わせによるソフトウエア操作スイッチが操作体Ｆでタップされる。すると、図５（ｃ）に示すように、制御部６０は、スクリュー抜き操作ボタン２１ｄ１の表示色を変更してハイライト表示するとともに共用操作スイッチ５６の発光素子を点灯させて、共用操作スイッチ５６にスクリュー抜き機能を割り当てる。この状態において、オペレータにより、共用操作スイッチ５６が押下される。制御部６０は、共用操作スイッチ５６が押下されている間、成形装置１０にスクリュー抜き動作を実行させる。なお、パージ操作ボタン２１ｄ２についても、スクリュー抜き操作ボタン２１ｄ１と同様である。このように、共用操作スイッチ５６には、成形装置１０が有する複数の機能のうちの一部の機能である「スクリュー抜き機能」および「パージ機能」が割り当てられる。
【００４７】
（３）半自動動作を実行する場合
オペレータにより「半自動モード」への切り替え機能が割り当てられたモード操作スイッチ５４が１回押下されると、制御部６０はモード操作スイッチ５４の発光素子を点灯させ、さらに、モード操作スイッチ５４がもう１回押下されると、制御部６０はモード操作スイッチ５４の発光素子を消灯させるとともに共用操作スイッチ５６の発光素子を点灯させて、「半自動モード」に切り替える。そして、オペレータにより共用操作スイッチ５６が押下されると、制御部６０は、共用操作スイッチ５６の発光素子を消灯させるとともにモード操作スイッチ５４の発光素子を点灯させ、成形装置１０に動作サイクルを１回実行させる。制御部６０は、成形装置１０が停止すると、モード操作スイッチ５４の発光素子を消灯させるとともに共用操作スイッチ５６の発光素子を点灯させて、再度共用操作スイッチ５６が押下されるのを待つ。以降、制御部６０は、共用操作スイッチ５６が押下される毎に動作サイクルを１回実行させる。このように、共用操作スイッチ５６は、半自動モードに関連する機能が割り当てられる。
【００４８】
（４）全自動動作を実行する場合
オペレータにより「全自動モード」への切り替え機能が割り当てられたモード操作スイッチ５５が１回押下されると、制御部６０はモード操作スイッチ５５の発光素子を点灯させ、さらに、モード操作スイッチ５５がもう１回押下されると、制御部６０はモード操作スイッチ５５の発光素子を消灯させるとともに共用操作スイッチ５６の発光素子を点灯させて、「全自動モード」に切り替える。そして、オペレータにより共用操作スイッチ５６が押下されると、制御部６０は、共用操作スイッチ５６の発光素子を消灯させるとともにモード操作スイッチ５５の発光素子を点灯させ、あらかじめ設定した実行数の動作サイクルを成形装置１０に実行させる。制御部６０は、成形装置１０が停止すると、モード操作スイッチ５４の発光素子を消灯させるとともにモード操作スイッチ５１の発光素子を点灯させ、ＯＦＦモードに切り替える。
【００４９】
以上説明したように、本実施形態の射出成形機１によれば、多機能操作スイッチ４１〜５０が、ケース７０の正面部７１の下縁部７２に沿って一列に並べて配置され、かつ、モード操作スイッチ５１〜５５が、ケース７０の正面部７１の側縁部７３に沿って一列に並べて配置されている。このようにしたことから、操作スイッチが縦横に並ぶことを回避できる。さらには、多機能操作スイッチ４１〜５０およびモード操作スイッチ５１〜５６がが、ケース７０の下縁部７２および側縁部７３に配置されているので、ケース７０の側面部や下面部に手を添えながら親指でこれらスイッチを操作することができ、操作に用いる指のぶれを抑制して誤操作をより効果的に抑制できる。また、ケース７０の正面部７１および表示部２１が共に縦長であることから、ケース７０の正面部７１の側縁部７３にモード操作スイッチ５１〜５５を配置しても表示操作装置２０が横方向に過度に大きくならないので、大型化を抑制できる。
【００５０】
また、射出成形機１が有する複数の機能グループＧ１、Ｇ２のうちの選択されている１つの機能グループに含まれる機能が動的に割り当てられる複数の多機能操作スイッチ４１〜５０を有している。このようにすることで、１つの多機能操作スイッチに複数の機能を割り当てることができるので、多機能操作スイッチ４１〜５０のようなハードウエア操作スイッチの数を抑制して装置を小型にできる。
【００５１】
また、射出成形機１の動作モードに関連する機能が割り当てられた複数のモード操作スイッチ５１〜５５を有している。このようにすることで、射出成形機１の動作モードの切り替えやそれに関連する比較的重要性の高い機能をモード操作スイッチのようなハードウエア操作スイッチに割り当てることができる。
【００５２】
また、多機能操作スイッチ４１〜５０の列を横方向に仮想的に延ばしかつモード操作スイッチ５１〜５５の列を縦方向に仮想的に延ばしたときに各列が交差するケース７０の正面部７１上の箇所Ｐに配置された共用操作スイッチ５６をさらに有している。そして、共用操作スイッチ５６が、射出成形機１が有する複数の機能のうちの一部の機能が割り当てられるとともに射出成形機の動作モードに関連する機能も割り当てられている。このようにすることで、共用操作スイッチ５６が、多機能操作スイッチ４１〜５０およびモード操作スイッチ５１〜５５と同様に使用できるので、ハードウエア操作スイッチの数をより効果的に抑制できる。さらには、共用操作スイッチ５６が、多機能操作スイッチ４１〜５０の列およびモード操作スイッチ５１〜５５の列の交差する箇所Ｐに配置されているので、ケース７０の正面部７１の右下の箇所または左下の箇所に配置されて操作が比較的しやすく、また、このように配置することにより、共用操作スイッチ５６が多機能操作スイッチ４１〜５０およびモード操作スイッチ５１〜５５と同様に使用できることを直感的に把握できる。
【００５３】
また、ケース７０における一方の側縁部７３とは反対側の他方の７４側縁部側を軸としてケース７０を回動可能に軸支する回動軸部８０をさらに有している。そして、ケース７０の正面部７１の一方の側縁部７３には、モード操作スイッチ５１〜５５と共用操作スイッチ５６との間に縦方向に帯状に延在する平面部分７３ａが設けられている。このようにすることで、回動軸部８０により表示操作装置２０を回動可能に設置できるとともに、ケース７０の平面部分７３ａに手を置いて表示操作装置２０を回動させることができる。そのため、回動時にモード操作スイッチ５１〜５５や共用操作スイッチ５６など誤って操作してしまうことを抑制できる。
【００５４】
本実施形態によれば、操作スイッチの誤操作の増加を抑制できる。これにより、操作性を向上することができる。
【００５５】
上述した実施形態では、ケース７０の正面部７１の下縁部７２に多機能操作スイッチ４１〜５０が配置され、側縁部７３にモード操作スイッチ５１〜５５が配置された構成であったが、これとは逆に、多機能操作スイッチ４１〜５０およびモード操作スイッチ５１〜５５を配置した構成としてもよい。また、共用操作スイッチ５６についても、例えば、モード操作スイッチ５５の下方に近接して配置するなど、ケース７０の正面部７１上の箇所Ｐ以外の箇所に配置してもよい。また、複数の機能が割り当てられる多機能操作スイッチ４１〜５０を有する構成であったが、多機能操作スイッチに代えて、１つの機能のみ割り当てられる単機能スイッチを有する構成としてもよい。モード操作スイッチについても、動作モードに係る機能以外の機能を割り当ててもよい。
【００５６】
また、上述した実施形態では、プラスチックなどの樹脂材料を金型に射出する射出成形機であったが、これに限定するものではない。射出成形機以外にも、例えば、金属材料を金型に圧入するダイカストマシンなど、成形品の材料を金型に注入する成形機であれば、本発明を適用可能である。また、成形機以外の工作機械に本発明を適用してもよい。
【００５７】
上記に本発明の本実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００５８】
１…射出成形機（成形機）、１０…成形装置、２０…表示操作装置、２１…表示部、２１ａ…モニター値表示領域、２１ｂ…メイン画面領域２１ｂ、２１ｃ…サブ画面領域、２１ｄ…操作スイッチ領域、２１ｄ１…スクリュー抜き操作ボタン、２１ｄ２…パージ操作ボタン、２１ｅ…機能ラベル表示領域、２２…タッチパネル、３１ａ〜４０ａ、３１ｂ〜４０ｂ…機能ラベル、３１ａ１〜４０ａ１、３１ｂ１〜４０ｂ１…名称部分、３１ａ２〜４０ａ２、３１ｂ２〜４０ｂ２…図形部分、４１〜５０…多機能操作スイッチ（一部の操作スイッチ）、５１〜５５…モード操作スイッチ（残りの操作スイッチ）、５６…共用操作スイッチ、５７…ＬＥＤ、５７ａ…発光部、６０…制御部、７０…ケース、７１…正面部、７２…下縁部、７３…一方の側縁部、７３ａ…平面部分、７４…他方の側縁部、Ｇ１…第１の機能グループ、Ｇ２…第２の機能グループ、Ｆ…操作体。
【図１】
0006774777.tif 000002
【図２】
0006774777.tif 000003
【図３】
0006774777.tif 000004
【図４】
0006774777.tif 000005
【図５】
0006774777.tif 000006